(57)【要約】【課題】コネクタの嵌合に必要な操作力を低減する。【解決手段】雌コネクタハウジング６にはロックアーム２０が撓み可能に設けられる。ロックアーム２０は雌雄コネクタの嵌合の過程で撓み変位し、嵌合の完了に伴って復帰して雄コネクタハウジング１に係止する。ロックアーム２０には押圧部材８が一体に設けられている。押圧部材８は雌コネクタハウジング６の収容孔１７内に変位可能に組み込まれ、嵌合時にロックアーム２０が撓むとこれに連動して収容孔１７内を変位する。これにより、押圧部材８は雌端子金具９の舌片１５の後端を押し下げるため、嵌合時の摩擦力を低減させ、その結果、嵌合操作力を低減させることができる。【選択図】図４
2012190629.tif 000002
【特許請求の範囲】
【請求項１】
雄端子金具のタブ部と弾性接触する撓み可能な舌片を有する雌端子金具と、
この雌端子金具を収容可能なキャビティを有する雌コネクタハウジングと、
この雌コネクタハウジングに設けられ雄コネクタハウジングと嵌合する過程では撓み変形し嵌合完了と共に復帰して前記雄コネクタハウジングと係止することにより雌雄両コネクタハウジングを嵌合状態に保持するロックアームと、
前記雌コネクタハウジングに組み付けられ前記ロックアームが自然状態にあるときには前記舌片を自然状態とする待機位置に保持され、前記雌雄両コネクタハウジングが嵌合する途上では前記ロックアームの撓み動作に連動して変位することで、前記舌片を押して同舌片を前記タブ部から離間する方向へ強制的に変位させる作動位置に移動し、前記雌雄両コネクタハウジングが嵌合を完了したときには前記ロックアームの復帰動作に連動して前記待機位置へ復帰することで、前記舌片に対する押圧を解除して前記舌片を前記タブ部に接触させる押圧部材とを備えて構成されていることを特徴とするコネクタ。
【請求項２】
前記雌コネクタハウジングには複数のキャビティが形成されるとともに、前記コネクタハウジングには各キャビティに連通し前記押圧部材を収容可能な収容孔が開口し、
前記押圧部材は前記ロックアームに一体に設けられかつこの押圧部材には前記各キャビティに対応した複数の端子挿通孔が開口する枠状に形成され、
さらに、前記押圧部材は前記待機位置にあるときには前記端子挿通孔が前記雌端子金具を前記キャビティに対して挿抜可能であり、前記作動位置にあるときには前記端子挿通孔の孔縁に形成された押圧片にて前記舌片を押圧して同舌片を強制的に変位させる構成であることを特徴とする請求項１に記載のコネクタ。
【請求項３】
前記押圧部材には、前記押圧片を有する前記端子挿通孔と前記押圧片を有さない端子挿通孔とが混在して形成されていることを特徴とする請求項２記載のコネクタ。
【発明の詳細な説明】
【技術分野】
【０００１】
本発明はコネクタに関するものである。
【背景技術】
【０００２】
従来より、雌雄のコネクタハウジングを嵌合させるときの摩擦抵抗を低減させ、嵌合操作力をできるだけ低く抑えるようにした技術が知られている。一例として下記特許文献１のものを挙げることができる。
【０００３】
このものには、雌コネクタハウジングに雌端子金具の舌片を押し下げ可能な押圧部材が装着されている。押圧部材はコネクタハウジングに対して浅く差し込まれる位置と深く差し込まれる位置との２位置で保持されるようになっている。浅く差し込まれる位置においては、押圧部材は雌端子金具をキャビティに対して挿抜自在な位置に待機し、深く差し込まれる位置においては、各雌端子金具の舌片を一斉に押し下げ、舌片を雄端子金具のタブ部と接触しない高さに保持できる位置に保持されるようになっている。
【０００４】
雌雄コネクタハウジングを嵌合させるときには、押圧部材はコネクタハウジングに対して深く差し込まれる位置に保持されて、予め舌片を押し下げ状態に保持しておく。こうすることで、雌雄のコネクタハウジング同士を嵌合させるときには雄端子金具のタブ部を舌片に対してほぼ非接触状態で雌端子金具の内部に進入させることができる。そして、コネクタハウジング同士の嵌合が完了する直前において押圧部材は雄コネクタハウジングの底面に形成されたテーパ状の案内面によって強制的に押し上げられる。両コネクタハウジングが正規に嵌合した状態では、押圧部材は雄コネクタハウジング側に形成されたテーパ状の案内面によって強制的に押し上げられて舌片を解放するようになっている。こうすることで、舌片とタブ部とが所定の接圧をもって接することができる。
【先行技術文献】
【特許文献】
【０００５】
【特許文献１】特開２００２−２８０１３３号公報
【発明の概要】
【発明が解決しようとする課題】
【０００６】
上記した従来のものでは、雌雄のコネクタハウジングが嵌合するまでの間、押圧部材は深い差し込み位置に差し込まれているため、その間、舌片は押し下げられて撓み状態のまま保持される。このため、とりわけ、高温下の環境に晒された場合等にはクリープによって舌片が塑性変形してしまい、タブ部に対して所定の接圧が得られなくなってしまうことが懸念された。
【０００７】
本発明は上記のような事情に基づいて完成されたものであって、コネクタの嵌合力の低減を図り、併せて嵌合後には雌雄端子金具間における確実な導通状況を確保することができるコネクタを提供することを目的とする。
【課題を解決するための手段】
【０００８】
上記の目的を達成するための手段として、請求項１の発明は、雄端子金具のタブ部と弾性接触する撓み可能な舌片を有する雌端子金具と、この雌端子金具を収容可能なキャビティを有する雌コネクタハウジングと、この雌コネクタハウジングに設けられ雄コネクタハウジングと嵌合する過程では撓み変形し嵌合完了と共に復帰して前記雄コネクタハウジングと係止することにより雌雄両コネクタハウジングを嵌合状態に保持するロックアームと、前記雌コネクタハウジングに組み付けられ前記ロックアームが自然状態にあるときには前記舌片を自然状態とする待機位置に保持され、前記雌雄両コネクタハウジングが嵌合する途上では前記ロックアームの撓み動作に連動して変位することで、前記舌片を押して同舌片を前記タブ部から離間する方向へ強制的に変位させる作動位置に移動し、前記雌雄両コネクタハウジングが嵌合を完了したときには前記ロックアームの復帰動作に連動して前記待機位置へ復帰することで、前記舌片に対する押圧を解除して前記舌片を前記タブ部に接触させる押圧部材とを備えて構成されているところに特徴を有する。
【０００９】
請求項２の発明は、請求項１に記載のものにおいて、前記雌コネクタハウジングには複数のキャビティが形成されるとともに、前記コネクタハウジングには各キャビティに連通し前記押圧部材を収容可能な収容孔が開口し、前記押圧部材は前記ロックアームに一体に設けられかつこの押圧部材には前記各キャビティに対応した複数の端子挿通孔が開口する枠状に形成され、さらに、前記押圧部材は前記待機位置にあるときには前記端子挿通孔が前記雌端子金具を前記キャビティに対して挿抜可能であり、前記作動位置にあるときには前記端子挿通孔の孔縁に形成された押圧片にて前記舌片を押圧して同舌片を強制的に変位させる構成であるところに特徴を有する。
【００１０】
請求項３の発明は、請求項２に記載のものにおいて、前記押圧部材には、前記押圧片を有する前記端子挿通孔と前記押圧片を有さない端子挿通孔とが混在して形成されているところに特徴を有する。
【発明の効果】
【００１１】
＜請求項１の発明＞
請求項１の発明によれば、雌雄コネクタハウジングが嵌合する途上で、押圧部材はロックアームの撓み動作に連動して雌端子金具の舌片を押し下げて作動位置に至る。この作動位置において、押圧部材は舌片をタブ部から離間する方向へ強制的に変位させるため、端子金具間における接触抵抗を低減させることができる。また、コネクタの嵌合が完了すれば、ロックアームの復帰動作に伴って押圧部材も待機位置へと復帰変位する。同待機位置では押圧部材は舌片を解放しているため、舌片はタブ部に対して所定の接圧をもって接触し良好な導通状況を確保することができる。
【００１２】
また、請求項１の発明においては雌コネクタハウジングの嵌合前においては押圧部材は待機位置にあって舌片を解放しているため、従来のように熱クリープによって舌片が塑性変形を生じてしまうのを回避することができる。
【００１３】
＜請求項２の発明＞
請求項２の発明によれば、押圧部材は雌コネクタハウジングの収容孔に収容された状態で組み付けられる。押圧部材が待機位置にあるときには、各端子挿通孔がキャビティに対応しており、雌端子金具を各端子挿通孔を通してキャビティ内へ挿通することができる。コネクタハウジング同士の嵌合に伴ってロックアームが撓み変形すると、その撓み動作に連動して押圧部材が作動位置へ移動し、これに伴って各端子挿通孔の押圧片が対応する雌端子金具の舌片を押し下げて雌雄端子金具間の摩擦抵抗を低減する。
【００１４】
＜請求項３の発明＞
請求項３の発明によれば、押圧部材に端子挿通孔に押圧片を有するものと有しないものとを混在させることで、低摩擦化を図る必要がある雌端子金具が収容されるキャビティとその必要のないキャビティ（例えば、空きキャビティとなることが予定されている場合等）とを一つのコネクタハウジング内に混在させることができる。
【図面の簡単な説明】
【００１５】
【図１】実施形態１における雌コネクタの分解斜視図
【図２】押圧部材が待機位置にある状態での雌端子金具の挿通作業を示す斜視図
【図３】雌雄コネクタの嵌合前の状態を示す断面図
【図４】同じく嵌合途上の状態を示す断面図
【図５】正規嵌合した後の状態を示す断面図
【図６】実施形態２に係る押圧部材の斜視図
【発明を実施するための形態】
【００１６】
＜実施形態１＞
図１から図５は本発明の実施形態１を示している。まず、図３によって雄コネクタＭについて説明すると、雄コネクタＭは合成樹脂製の雄コネクタハウジング１を有している。雄コネクタハウジング１の前部は前方へ開口するフード部２となり、後部は複数の雄端子金具３を収容する端子収容部３１となっている。端子収容部３１には複数の端子収容室３２が形成され、各端子収容室３２の内部には雄端子金具３が収容され、ランス４によって抜け止めがなされている。雄端子金具３の先端部にはフード部２内に突出するタブ部５が一体に形成されている。フード部２は雌コネクタハウジング６を嵌合可能な筒状に形成され、内部の天井面には雌コネクタＦを嵌合状態でロックさせるための係止受け部７が凹み形成されている。
【００１７】
本実施形態に係る雌コネクタＦは共に合成樹脂材にて一体に形成された雌コネクタハウジング６と、押圧部材８とを有している（図１参照）。
雌コネクタハウジング６には雌端子金具９（図２参照）を収容するためのキャビティ１０が、複数室設けられている。本実施形態においては、各キャビティ１０は上下二段で、各段毎に幅方向へ並列して配されている。各キャビティ１０は前後方向（雌雄コネクタＦ，Ｍの嵌合・離脱方向）に貫通しており、後方より雌端子金具９を挿通可能である。図３等に示すように、キャビティ１０の前端面には前止まり壁１１が形成され、雌端子金具９の前端面が押し当てられることにより、雌端子金具９の前進位置を規定している。この前止まり壁１１には雄端子金具３のタブ部５が進入するタブ挿通孔１２がそれぞれ開口している。また、各キャビティ１０の前端部寄りの底面には雌端子金具９を抜け止めするためのランス１３が設けられている。ランス１３は図示上下方向へ撓み可能であり、雌端子金具９がキャビティ１０に対して正規の位置にまで挿入されている場合に、雌端子金具９の対向面に開口して形成されたランスホール１４に係止可能である。
【００１８】
ここで、雌端子金具９について説明すると（図２、図３等参照）、雌端子金具９は雄端子金具３のタブ部５が差し込まれる角筒部９Ａと、その後部に連続するバレル部９Ｂとからなっている。バレル部９Ｂは、前側に配されたワイヤバレル９Ｂ−１とその後側に配されたインシュレーションバレル９Ｂ−２とからなっていて、それぞれ電線芯線および電線被覆に対してかしめ付けがなされている。
【００１９】
角筒部９Ａは前端面が開口してタブ部５の進入を許容するようになっているとともに、内部にはタブ部５と弾性的に接触する舌片１５が設けられている。舌片１５は角筒部９Ａの底面の前端縁から角筒部９Ａの内部へ向けて折り返され、その長さ方向の途中部分が頂点（タブ部５に対する接点部を構成する）となるような山形状に形成されている。舌片１５が自然状態にあるときに、舌片１５の頂点と角筒部９Ａの天井面との間の間隔はタブ部５の厚み寸法より狭くなるように設定されていて、タブ部５がこの間に進入した時に両者の間に所定の接圧が得られるようにしてある。舌片１５において、上記した頂点より後半側（奥側）は徐々に下り勾配に形成されるが、角筒部９Ａの後端から後方へ突出する部分は急勾配をもって立ち上がり、角筒部９Ａの上面の後縁より後方でかつ上方へ僅かに突出した高さ位置にまで延出し、その頂点は被押圧縁１６となって後に説明する押圧部材８によって押し下げ力を受ける。なお、被押圧縁１６より後方は下向き勾配をもって屈曲している。
【００２０】
図１に示すように、雌コネクタハウジング６の上面には押圧部材８を収容するための収容孔１７が開口している。この収容孔１７は雌コネクタハウジング６における前後方向の途中部分に設けられている。より具体的には、収容孔１７は、図３に示すように、雌端子金具９が各キャビティ１０に対して正規深さに挿入されたときに、舌片１５の被押圧縁１６を収容孔１７内に臨ませることができる位置に開口している。また、収容孔１７は雌コネクタハウジング６の幅方向に沿いつつ上面から両側面にかけての全幅範囲に亘って形成されている。また、その深さは下段のキャビティ１０にまで至り、全キャビティ１０と連通するような深さに設定されている。
【００２１】
雌コネクタハウジング６の上面で前端部には押圧部材８を装着するための装着溝１８が形成されている。装着溝１８は雌コネクタハウジング６の全幅のうちほぼ片側半分の長さ範囲に亘って形成され、一端（始端）は雌コネクタハウジング６の一方の側面に開口し、他端（終端）は雌コネクタハウジング６の幅方向ほぼ中央部に位置している。図３等に示すように、装着溝１８はあり溝の断面形状をなして形成されている。また、装着溝１８の終端部近くであって、溝内の前後に対向する面には一対の抜け止め用の突起１９が突出している。
【００２２】
次に、押圧部材８について説明する（図１，２参照）。押圧部材８には、ロックアーム２０が一体に形成されている。ロックアーム２０の前端には脚部２１が形成され、その下端には接合部２２が形成されている。この接合部２２は装着溝１８の断面形状（あり溝形状）に適合する断面形状を有し、装着溝１８に対し側方の開口から嵌め入れることができ、さらには装着溝１８に沿って移動可能である。接合部２２を装着溝１８の終端にまで至らせることで、ロックアーム２０は、接合部２２の側面が両抜け止め用突起１９に係止して戻り止めがなされ、かつ上方への抜けが併せて規制される。
【００２３】
図１に示すように、ロックアーム２０の脚部２１の上端からはアーム部２３が後方へ真っ直ぐ延び、その途中にはロック突部２７が突出している。アーム部２３の後端部は上方へほぼ直角に屈曲して起立部２４が形成され、さらに起立部２４の上端部はさらに後方へほぼ直角に屈曲して解除操作部２５が階段状をなして形成されている。また、アーム部２３の下面であって後端部寄りの位置には押圧部材８との連結のための連結部２６が下向きに突出している。この連結部２６はアーム部２３の肉厚寸法より前後方向の肉厚が薄く形成されて剛性が低められている。このことにより、図４に示すように、連結部２６、さらには押圧部材８全体がアーム部２３に対して後方へ傾斜した姿勢となるような撓みが許容されている。
【００２４】
こうして形成されたロックアーム２０は装着溝１８に装着された状態で、脚部２１を中心として上下方向（高さ方向）への撓み変形が可能である。すなわち、ロックアーム２０は雌雄の両コネクタハウジング１，６が嵌合する過程で撓み変形し（図４状態）、両コネクタハウジング１，６の嵌合が完了すると（図５状態）、ほぼ自然状態に復帰してロック突部２７が雄コネクタハウジング１の係止受け部７に係止して両コネクタハウジング１，６を嵌合状態でロックする。
【００２５】
図１に示すように、押圧部材８はその上面の中央部においてロックアーム２０の連結部２６と一体に連結された状態で形成されている。押圧部材８は収容孔１７に対し側方から収容可能であり、雌コネクタハウジング６の左右方向に関する全幅とほぼ同じ寸法をもって形成されているが、収容孔１７の前後幅よりやや狭めの前後幅をもって形成されていて、収容孔１７内を高さ方向に沿って変位することが許容されている。押圧部材８は複数の端子挿通孔２８が並列して設けられた枠状に形成されている。
【００２６】
ロックアーム２０が雌コネクタハウジング６に対して装着されかつ撓みのない自然状態にあるとき、押圧部材８は収容孔１７内において待機位置（図２および図３に示す位置）に保持されている。押圧部材８がこの待機位置にあるときに、各端子挿通孔２８は雌コネクタハウジング６における上段側の各キャビティ１０に対応し、対応するキャビティ１０と同軸で整合するようになっている。したがって、押圧部材８が待機位置にあるときには、雌端子金具９は各端子挿通孔２８に対して挿抜可能である。
【００２７】
図３に示すように、押圧部材８の各端子挿通孔２８を構成する四片のうち高さ方向に対向する両片は、上下に並ぶ雌端子金具９の舌片１５の被押圧縁１６を押し下げるための押圧片２９となっている。押圧部材８が待機位置にあるときには、各端子挿通孔２８における両押圧片２９の下面は上段および下段のキャビティ１０の天井面とほぼ面一の高さ位置にあって、いずれも被押圧縁１６の上方に離間した高さ位置に保持され、被押圧縁１６とは非接触の状態にある。
【００２８】
また、雌雄コネクタハウジング１，６の嵌合途上で、押圧部材８がロックアーム２０の撓み動作に連動して収容孔１７内を下方へ移動したとき（このときの押圧部材８の位置を作動位置と言う：図４に示す位置）には、各端子挿通孔２８の両押圧片２９は対応する上段および下段のキャビティ１０内にそれぞれ突出し、対応する被押圧縁１６を所定高さ分だけ押し下げるようになっている。このときの押し下げ量は、舌片１５の頂点と角筒部９Ａの天井面との間の間隔がタブ部５の厚み寸法とほぼ等しいかやや大きめとなる寸法にまで拡張されるような設定としてある。
【００２９】
図３等に示すように、雌コネクタハウジング６の上面には、雌雄両コネクタハウジング１，６が嵌合した後にロックアーム２０が不用意に押圧操作されるのを規制する係止部材３０が設けられている。この係止部材３０は詳細には図示しないが、通常時にはロックアーム２０の下方の撓み空間の外方において第１の保持手段によって保持されるようになっている。そして、両コネクタハウジング１，６が嵌合した後には第１の保持手段は解除され、係止部材３０はロックアーム２０の撓み空間内に進入してロックアーム２０の撓みを規制可能な位置において第２の保持手段によって保持されるようになっている。但し、係止部材３０の前部は逃がし溝３３によって二股に形成され、ロックアーム２０の撓み空間へ進入したときに連結部２６との干渉が回避可能としてある。
【００３０】
次に、上記のように構成された実施形態１の作用効果を具体的に説明する。ロックアーム２０および押圧部材８が雌コネクタハウジング６に対して装着された状態において、雌コネクタハウジング６を雄コネクタハウジング１と対向させる（図３参照）。このときには押圧部材８は待機位置にあり、押圧片２９と被押圧縁１６とは非接触の状態となっている。
【００３１】
雌雄コネクタハウジング１，６の嵌合の過程では、図４に示すように、ロックアーム２０のロック突部２７がフード部２の開口縁部に当接して下方へ撓み変形する。このときのロックアーム２０の撓み変形に連動して押圧部材８は連結部２６を撓ませつつ収容孔１７内を下方へ移動する。すなわち、押圧部材８は待機位置から作動位置へと変位し、その変位の過程で各端子挿通孔２８の両押圧片２９が上下に隣接する各雌端子金具９の被押圧縁１６を押し下げる。これにより、舌片１５はその頂点（接点部）と角筒部９Ａの天井面との間の間隔が拡げられた撓み状態に強制的に保持される。したがって、その後、雌雄のコネクタハウジングの嵌合が進行し、タブ部５が角筒部９Ａ内に深く進入しても、タブ部５は舌片１５の頂点と接触することなく頂点を通過する。このような状況が全ての雌端子金具９において同時に成立しているため、雌雄のコネクタハウジング１，６を低い操作力をもって嵌合させることができる。
【００３２】
そして、図５に示すように、雌雄両コネクタハウジングが正規に嵌合すると、ロックアーム２０は復帰して、ロック突部２７がフード部２の係止受け部７に係止する。これによって、両コネクタハウジングが嵌合状態でロックされる。また、ロックアーム２０の復帰動作に連動して押圧部材８も作動位置から待機位置へと復帰する。これにより、押圧片２９は対応する被押圧縁１６から離間するため、舌片１５は押圧部材８による強制的な押し下げ状態から解放され、タブ部５は舌片１５からの弾性反力を受けて角筒部９Ａの天井面との間で挟持される。この結果、舌片１５はタブ部５に対して所期の接圧をもって接触することができるため、安定した導通状態を確保することができる。
【００３３】
雌雄のコネクタハウジング１，６の嵌合が完了したら、図示しない第１の保持手段を解除して係止部材３０をロックアーム２０の撓み空間内へ進入させ、第２の保持手段にて係止部材３０を同位置に保持する。このようにすることで、ロックアーム２０は撓み変形が規制され、もって押圧部材８が不用意に変位する事態を回避することができる。したがって、雌雄コネクタハウジング１，６の嵌合状態においてロックアーム２０に不用意に押圧力が作用することがあっても、舌片１５を変位させてしまうことがないため、雌雄端子金具３，９同士を良好な導通状態のまま維持することができる。
【００３４】
なお、雌雄コネクタハウジング１，６を分離させる場合には、第２の保持手段による係止を解除して係止部材３０をロックアーム２０の撓み空間外へ退出させた後、ロックアーム２０を撓み操作すればロック突部２７と係止受け部７との係止が解除されるため、雌雄コネクタハウジング１，６を分離させることができる。そして、この分離操作の場合においても、押圧部材８の押し下げ作用によって舌片１５はタブ部５との接触抵抗を低減させることができるため、分離操作も容易に行なうことができる。
【００３５】
以上のように、本実施形態１によれば、両コネクタハウジング１，６を嵌合させるときにはロックアーム２０の撓み動作を利用して舌片１５を強制的に撓み変形させ、もって雌雄端子金具３，９同士の摩擦抵抗を低減させるようにしたから、雌雄コネクタハウジング１，６同士の嵌合に必要な操作力を確実に低減させることができる。しかし、両コネクタハウジング１，６の嵌合が完了すれば、ロックアーム２０が復帰して舌片１５も撓み状態から復帰するようにしたため、タブ部５に対して所期の接圧を得ることができる。
【００３６】
加えて、本実施形態においては、舌片１５の押し下げ動作をロックアーム２０と連動して行なわせるようにしたため、雌コネクタハウジング６の単体時には舌片１５は自然状態に保持されたままである。したがって、従来のように雌雄コネクタハウジング１，６の嵌合前に舌片１５を塑性変形させてしまうことがないから、安定した接圧を確保することができる。
【００３７】
また、雌雄コネクタハウジング１，６の嵌合状態では係止部材３０によって不用意なロックアーム２０の撓み動作が規制されるため、押圧部材８もまた不用意に押し下げられてしまうことがないから、安定した導通状態を確保することができる、という効果も得られる。なお、係止部材３０が図３に示す位置から図５に示す位置へと移動が可能になる条件の一つに、雌雄コネクタハウジング１，６が完全に嵌合してロックアーム２０が復帰することがあるため、このことからして係止部材３０は雌雄コネクタハウジング１，６の嵌合検知の役割も果たす。
【００３８】
＜実施形態２＞
図６は本発明の実施形態２を示している。実施形態１の押圧部材８は雌コネクタハウジング６内に収容された全ての雌端子金具９に対して低摩擦化を可能にするものであったが、実施形態２の押圧部材４０は低摩擦化の機能を部分的に省いたものである。例えば、雌コネクタハウジング６における一部のキャビティ１０は雌端子金具９が挿入されずに空きキャビティ１０となる場合、あるいは一部のキャビティ２０には被押圧縁１６を有さない雌端子金具９が収容される場合等がある。このように、低摩擦化を図る必要がなかったり、あるいは低摩擦化を図ることができないキャビティ（対象外キャビティ：図示しない）に対しては、端子挿通孔４１，４２に押圧片２９を設ける意味がない。そこで、実施形態２においては対象外キャビティに対応する端子挿通孔４２は押圧片を形成しないこととした。
【００３９】
図６に示す押圧部材４０は、上下４段にキャビティ１０を配した雌コネクタハウジング（図示しない）に装着されるものである。この場合、当該雌コネクタハウジングにおいて、対象外キャビティは上から２段目に配された各キャビティ１０となっている。このような雌コネクタハウジングを対象とした本実施形態の押圧部材４０では、待機位置にあるときに雌コネクタハウジングにおける最上段の各キャビティと上から二段目に位置する各キャビティとの間の区画壁に対応する押圧片が除去されている。つまり、待機位置にあるときに雌コネクタハウジング側の最上段に位置する各キャビティと上から二段目に位置する各キャビティに対応する端子挿通孔４２は押圧片による仕切りをなくしてあることから、上下に長い長孔となり、上から三段目に位置する各キャビティに対応する端子挿通孔４１は実施形態１と同様、その半分の高さ寸法となっている。
【００４０】
なお、図示の押圧部材４０の押圧片４３は長孔形態の端子挿通孔４２の上縁と、通常形態（上記の端子挿通孔４２の半分の高さ寸法の形態）の端子挿通孔４１の上下両縁に形成される。
【００４１】
かくして、本実施形態の押圧部材４０は低摩擦化を達成する端子挿通孔４１と一部達成しない端子挿通孔４２とが混在した構成である。したがって、このような二種類の端子挿通孔をコネクタ側の要請に基づいて適宜に配置することで、適用範囲を広めることができる。
なお、他の構成は実施形態１と同様であり、同様の作用効果を発揮することができる。
【００４２】
＜他の実施形態＞
本発明は上記記述及び図面によって説明した実施形態に限定されるものではなく、例えば次のような実施形態も本発明の技術的範囲に含まれる。
（１）上記実施形態では、押圧部材にロックアーム２０を一体に形成した場合を例示したが、押圧部材がロックアーム２０の撓み動作に連動するような関係が成立するのであれば、別体に形成してもよい。
【００４３】
（２）上記実施形態では、押圧部材８，４０が作動位置にあるときに、舌片１５の頂点がタブ部５と非接触となる状態にまで舌片１５を撓み変形させるようにしたが、タブ部５と僅かに接触する程度に撓ませるような設定としてもよい。
【００４４】
（３）上記実施形態では、押圧部材８，４０とロックアーム２０とを共に雌コネクタハウジング６の側方から装着するようにしたが、上方から装着するようにしてもよい。
【符号の説明】
【００４５】
１…雄コネクタハウジング
３…雄端子金具
５…タブ部
６…雌コネクタハウジング
８，４０…押圧部材
９…雌端子金具
１０…キャビティ
１５…舌片
１７…収容孔
２０…ロックアーム
２８，４１，４２…端子挿通孔
２９，４３…押圧片
【図１】
2012190629.tif 000003
【図２】
2012190629.tif 000004
【図３】
2012190629.tif 000005
【図４】
2012190629.tif 000006
【図５】
2012190629.tif 000007
【図６】
2012190629.tif 000008